(57)【特許請求の範囲】
【請求項１】
間隔をあけて設けられた入口ポートと出口ポートとを有する、環状室軸を中心とする環状室を形成するハウジングと、
上記ハウジングの環状壁に間隔をおいて対向して上記環状室の一側部を形成し、端部が上記ハウジングにシールされた可撓性の環状ダイヤフラムと、
上記入口ポートと出口ポートとの間の所定の場所からダイヤフラムへと上記チェンバーを横切って伸びる仕切り壁と、
入口ポートから吸引された流体を環状室周囲で加圧して出口ポートから排出するために、上記ダイヤフラムの周囲を移動してダイヤフラムを上記ハウジングの対向壁に対して押圧する手段と、
上記環状ダイヤフラムの軸方向中央領域を補強して該領域を実質的に剛性に保ち、これにより実質的に正弦的な動作を得るようにダイヤフラムを制御する補強手段とを備え、
上記ダイヤフラムの補強手段が、加圧と吸引のサイクルを通じてダイヤフラムを対称に駆動するため、上記ダイヤフラムに埋め込まれてダイヤフラムの軸方向中央領域と共に移動し、上記押圧する手段と直接接触する剛性の補強リングから構成され、これにより真空特性と安定性が向上されているロータリポンプ。
【請求項２】
上記環状ダイヤフラムは筒形状をしており、上記ハウジングはダイヤフラムが対向する環状壁を有し、上記ダイヤフラムと環状壁との間に上記環状室が形成され、上記環状壁に対してダイヤフラムを押圧する手段は上記ダイヤフラムに対して半径方向に作用する、請求項１に記載のロータリポンプ。
【請求項３】
上記ハウジングの環状壁は上記環状ダイヤフラムを囲い、上記ダイヤフラムを上記壁に対して押圧する手段は、上記ダイヤフラムの内部に設けられて、上記ダイヤフラムを上記ハウジング壁に対して半径方向外側に押圧する、請求項２に記載のロータリポンプ。
【請求項４】
上記ダイヤフラムを上記ハウジングの上記環状壁に対して半径方向外側に押圧する手段は、上記ダイヤフラムの中央部に係合する偏心要素を有するロータから構成されている、請求項３に記載のロータリポンプ。
【請求項５】
上記入口ポートと出口ポートとの間の環状室壁と、上記ダイヤフラムとの間にある上記仕切り壁は、上記ダイヤフラムと一体的に形成され、その端部が上記入口ポートと出口ポートとの間で上記ハウジングにシールされた可撓性のウェブを有する、請求項１に記載のロータリポンプ。
【請求項６】
上記ダイヤフラムの弾性部は、別の構成部品を用いることなく、ポンプの最大圧力を安全なレベルまでに制限するため、制御された内部リークを提供するように用いることができ、極限圧力は上記補強リングの幅により決定される、請求項１に記載のロータリポンプ。
【請求項７】
上記ハウジングは、ダイヤフラムの弾性部の内側を取り囲み、ハウジング内で溝からダイヤフラムが外れるのを防止し、これによりダイヤフラムが圧力下で破裂するのを防止する環状の当接部を有する、請求項１に記載のロータリポンプ。
【請求項８】
上記圧力サイクルは、正確に位相をずらして動作するように配置された類似のポンプと組み合わされることにより実質的に正弦的であり、これにより上記複数のポンプの組み合わされた出力は実質的に脈動が無く一定である、請求項１に記載のロータリポンプ。
【発明の詳細な説明】
【０００１】
【発明の属する技術分野】
本発明は、ロータリ式ダイヤフラム移動型ポンプに関する。
【０００２】
【従来の技術】
一般のロータリ式ダイヤフラムポンプは、ポンプ室として機能する環状溝を内面周りに有する剛体の筒状ハウジングと、可撓性の筒状ダイヤフラムであって、上記溝の中を偏心して旋回し、上記通路中の流体を入口ポートから出口ポートに掃き出す可撓性の筒状ダイヤフラムとからなる。これらのポートは、通常、所定形状の仕切壁により分離されている。この仕切壁は、ダイヤフラム鋳造品の一部を形成することができると共に、多数の異なる手段の一つによって伸縮自在とされる。
【０００３】
この種のポンプは、ポンプ輸送に広範囲に適用される。主な利点は、上記ポンプでは、密着して取り付けられるスライド部品に依存することなく有効圧力を得ることができ、軸シール又は弁（これらはすべて摩耗し、ポンプ故障を生じることがある）を必要としない、ことである。
【０００４】
【発明が解決しようとする課題】
既存のロータリ式ダイヤフラムポンプの設計は、より高い圧力及び操作速度、及びより低い摩擦と摩耗を得ることを目的とするが、これはキャビテーション、ウォータハンマ及び一般騒音のような、脈動する入出力に関連した問題の増加を招く。脈動は、炭酸飲料のような鋭敏な流体をだめにすることがあるし、感圧スイッチの非常に速い動作、ソレノイド弁におけるプランジャの跳ね上がり及びその他の装置上の問題を引き起こすことがある。
【０００５】
既存の設計はまた、ハウジング壁とは別の位置で、ダイヤフラムを支持するものがなかった。そのことがダイヤフラムを傷つき易くしており、早期の故障となっていた。
【０００６】
本発明の目的は、実質的に正弦出力波形を有するロータリ式ダイヤフラムポンプを提供することである。一方が他方と厳密に異なる位相で動作するように配置された２つのポンプが、安定した真空、圧力又は流量特性を与える。これは、２つの異なる位相を有する正弦波が結果的に重なって一つになることによる。同様に、２つの同一であるが対向する歪みのない正弦的なポンプ出力が全体として安定した出力を生み出す。
【０００７】
しかし、実際には、従来のロータリ式ダイヤフラムポンプの設計は、２つ以上の正弦的な出力を加えることで解決を図っており、場合によっては不安定な出力を生み出していた。
【０００８】
ロータリポンプが歪みなく正弦的な出力波を生み出すように、幾つかの条件が設計によって満足されなければならない。
【０００９】
内部の漏れ通路の数は最小限に止めなければならない。複数のスライド部材間の密着した接触に頼るロータリポンプは、十分に粘性のある流体をポンプ輸送する場合を除いて、通常は十分にシールできるものでない。しかし、ロータリ式ダイヤフラムポンプは漏れ通路が少なく、安定した双動ポンプの好適な基盤を提供する。
【００１０】
ロータリ式ダイヤフラムポンプは、２つの部分が常に他方に対して同軸的に保持されてそれらの間に移動が生じないように、偏心駆動されるピストンにしっかりと固定されなければならない。そこでの移動は、ストローク損失や摩擦の原因となる。ダイヤフラムの内側周囲を転がる独立したピストンを有する従来の設計は、負荷状態でピストンとは独立にダイヤフラムが自由に移動するので、ポンプ輸送サイクルの間に、なくてはならない制御された進行性の体積移動を維持できなかった。
【００１１】
本発明は、剛体補強リングの形をしたピストンに特徴を有し、このリングはダイヤフラム中にその一部として成型されている。これにより、ダイヤフラムはその移動中に完全に半径方向に制御され、中心領域における弾性的な動きが排除されると共に、すべての必要な変形がダイヤフラムの縁部に限られる。これにより、広範囲な圧力負荷及び真空負荷にわたって、ダイヤフラムの動作が予想可能で一貫していることを保証すると共に、実質的に正弦波的で、高い真空特性、移動部分と固定部分との間のより少ない接触への路を開く。
【００１２】
また、圧力負荷や真空負荷によって曲がらないように、ダイヤフラムの断面中央部の広い帯部は平坦に保たれなければならない。このようにしなければ、ダイヤフラムの大部分が過度に凸状及び凹状に膨らみ、そのために吸引側において殆ど流体が吸引されず、サイクルの終了時期まで圧力側に過剰な流体が滞留する。このような体積移動の遅れにより、正弦波、そして結果として出力波形の歪みを招来する。本発明における補強リングの幅は、それによりどれだけダイヤフラムが曲がり、その結果、圧力負荷と体積負荷によって膨らむことをどれだけ制限するかにより決定される。
【００１３】
従来の特許で言及されている、ダイヤフラム中での繊維補強の使用は、曲がりの問題は解消できない。それは、その補強では曲がりを防止するだけの十分な張力を与えることができないし、同時にポンプが満足に動作するための十分な柔軟性を与えるからである。本発明では、曲げ易さが要求されるダイヤフラムの領域と、剛性の要求される領域とが明確に分離されており、これは一体成型された補強リングにより達成されている。
【００１４】
優れた真空特性を与えるために、ダイヤフラムをピストンに部分的に接着する従来の考えは、この問題を解消するものでない。その理由は、いかなる形の外部サポートも、圧力負荷と真空負荷との間で、エラストマ又は対称なサポートの中心に剛性の帯部を提供するものでないからである。それはまた、接着結合部の縁部に高い引張負荷やせん断負荷を集中させ、それは接合部の幅が広がるにしたがって増加することから、そのような方法は実際的ではなかった。圧力側ではダイヤフラムはしっかりと支持されているが、真空側では強いストレスの加わった接着結合部を除いて支持されないでいる。
【００１５】
【課題を解決するための手段】
本発明は、間隔を置いた入口と出口ポートを周りに有する環状室を形成するハウジングと、ハウジング環状壁の片側から間隔を置いて対向する環状壁を形成し、その縁部でハウジングにシールされている可撓性の環状ダイヤフラムと、入口ポートと出口ポートとの間の所定の場所から上記環状室を横切ってダイヤフラムまで延びる仕切壁と、ダイヤフラムの周方向に移動して、このダイヤフラムをハウジングの対向壁に向けて押し付け、環状室の周りの入口で流体を吸引し、出口からそれを排出する手段と、上記環状ダイヤフラムの中央部を補強して当該領域を実質的に剛性に保持し、これにより上記ダイヤフラムが実質的に正弦移動をするように制御する手段とを備えている。
【００１６】
補強リングを成型して含ませることで、高度にダイヤフラムを制御し、９９％オーダの達成可能な真空でもって負荷に対応できる。リングをダイヤフラム中に成型することで、２つの部分の間の摩擦、摩耗、及びエネルギロスを最小限に減少できるし、ポンプ内の圧縮と吸引のサイクルのバランスを保つ。
【００１７】
実質的に正弦波形を得るため、ぜひとも必要なことは出口ポートが開く前に、通過するダイヤフラムによって入口ポートが効果的に覆われ、それによって逆流を防止するように、入口ポートと出口ポートが出来るだけ接近していなければならないことである。
【００１８】
本発明の構成では、ダイヤフラム全体が高圧の負荷を受ける場合に、特にサイクルの最初に、ダイヤフラムの曲がった縁部に対するサポートを提供している。
【００１９】
ロータリ式ダイヤフラムの曲がり易い縁部はハウジングとピストンに固定されている。そのために、この縁部には移動時にしっかりしたサポートを与えることができない。それは常に形状を変えるからである。
【００２０】
別の目的は、ダイヤフラムを圧力損傷から保護するための改良されたサポートを提供することである。
【００２１】
従来の構成はピストン上にサポートを設けている。これは室の片側に与える好ましくない突出ギャップを生じ、そこではハウジングとピストンとの間の大きなギャップでダイヤフラムは膨らむことができる。本発明は、頑丈なストッパを提供する定位の背面リングによってそのような作用を制限し、ダイヤフラムがギャップによって破裂することがないようにしている。サイクルが進行すると、ダイヤフラムサポートは次第に背面リングから補強リング、さらにその逆に送られる。
【００２２】
ダイヤフラムとハウジングの溝との間の接触を保つための補強リングの能力は、ポンプが発生できる限界圧力を決定する。本発明では、過度の出力圧力が、ハウジングから離れたダイヤフラムの支持されていない領域を押圧し、これにより損傷を招くことがないように、ポンプからの一時的な漏れを許容する。したがって、補強リングの幅を調節することで、別の構成要素を用いることなく、ポンプおよびその適用にとって安全なレベルに最大圧力を設定できる。
【００２３】
したがって、本発明は、ダイヤフラムの動作を厳密に制御し、実質的に安定した流れとダイヤフラムの長寿命性とを備えたロータリ式ダイヤフラムポンプの利点を提供するものである。
【００２４】
【発明の実施の形態】
以下、添付図面を参照して本発明の好適な実施形態を説明する。図１に示すように、剛性ハウジング１の筒状部分は、内面の周りを走る環状の溝を有し、これはポンプ室として機能する。休止状態では、上記溝にポンプ輸送された流体を収容することができるように、可撓性ダイヤフラム鋳造品３はハウジングの壁の内側に横たわる。剛性の補強リング４はダイヤフラムの中に成型されており、これによりダイヤフラムの中央部分が、軸６に偏心して取り付けられたベアリング５の外面に常時密接して保持される。軸６は貫通しており、ベアリング（図示せず）のハウジングに設けてある。軸６は環状溝と同軸に設けられており、モータ（図示せず）によって駆動される。補強リングが存在しなければ、真空下でダイヤフラムが潰れた場合に、上記ダイヤフラムが伸び、ぜん動ポンプで経験されるように特性が低下する。
【００２５】
駆動軸６が回転すると、ベアリング、補強リングおよびダイヤフラムの中央部分がすべて、ハウジングの内側で共に旋回する。ダイヤフラムチューブ７の両端部は、背面リング１２によってハウジングに固定され、これにより大気に対して有効でかつ安定したシールが得られる。ダイヤフラムの中央部分は溝２の内側を旋回するとき、ダイヤフラムと溝との間に線接触状態８が存在し、出口ポート９に向かって流体を押圧するとともに、入口ポート１０を介して流体を吸引する当接部分を提供する。したがって、上記ポンプは加圧と吸引のサイクルを出口と入口にそれぞれ与える。なお、このサイクルは対称でかつ正弦的に変化する。ダイヤフラムはハウジングに対して回転しないので、それらの間には最小限の滑り動作しか存在せず、したがって殆ど摩耗しない。
【００２６】
図２と図３から、ダイヤフラム成型品の別の特徴部分は、出口ポート９と入口ポート１０との間が繋がるのを防止する弾性当接部分１１であることが理解できるであろう。それは、弾性であるために、ダイヤフラムチューブは往復移動ができ、両ポートと大気との間に安定した圧力シールが維持される。このように、ポンプに要求されるすべての適正なシール機能がダイヤフラム成型品によって与えられ、これらはいずれもスライド式のシールでないので、それらは著しく摩耗することがない。
【００２７】
ダイヤフラムは弾性材料で形成されているので、高い出力圧力がそれを膨張して歪ませる傾向にある。これは、たとえ高圧が存在していてダイヤフラムはハウジングの壁に設けた溝に接触してピストンより十分に支持されているが、反対側ではダイヤフラムは支持されていないロータリ式ダイヤフラムポンプには共通した問題である。背面リング１２は、ダイヤフラムをその動作限界位置において支持し、サイクル中の突出量を減少し、これによりダイヤフラムの寿命を長くしている。このような解決手段は、ダイヤフラムサポートについて通常の幅広ピストンを設けたものでは不可能である。
【００２８】
ポンプによって非常に高い圧力を発生する場合、上記構成では、ダイヤフラムの可撓性縁部は、ハウジングの壁に設けた溝から離れた位置に見い出されることがあり、これにより一時的な内部の迂回リークを生じ、これが高圧を低下させる。
【００２９】
図４は２つの上記ポンプを示す。これらは並列に設けてあり、それぞれの環状溝が入口ポートと出口ポートにそれぞれ接続してある。２つのハウジングの近接した環状壁１２は単一の構成部品として一体化されて形成されている。また、ベアリング１６は、壁に形成した着座部１７に設けてあり、モータ駆動軸６が連結されるハウジングを貫通するスタブシャフト１８を支持している。スタブシャフト１８は、複数のポンプの一つのベアリング５に対する一体的な偏心着座部１９と、他方のポンプのベアリング５の偏心着座部２０とを有する。偏心着座部２０は、各ポンプの正弦移動が実質的に一定な出力（及び入力）を生み出すように、偏心着座部１９と正確に位相をずらして配置されている。
【図面の簡単な説明】
【図１】  駆動軸の軸に沿ったポンプ断面を示す。
【図２】  駆動軸の軸を横切るポンプ断面を示す。
【図３】  ダイヤフラム成型品の側面図を示す。
【図４】  タンデム機関に設けた２つの上記ポンプを示す。
【符号の説明】
１…ハウジング、３…可撓性ダイヤフラム、４…補強リング、５…ベアリング、６…軸、７…ダイヤフラムチューブ、９…出口ポート、１０…入口ポート、１２…背面リング。
【図１】
0004068186.tif 000002
【図２】
0004068186.tif 000003
【図３】
0004068186.tif 000004
【図４】
0004068186.tif 000005